(57)【特許請求の範囲】
【請求項１】
複数の候補値の中から選択されたTPCコマンドを含む制御信号を受信する受信処理部と、
前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を制御する送信制御部と、
を具備し、
前記TPCコマンドの候補値毎に、前記第１の補正値及び前記第２の補正値が設定され、
少なくとも１つの候補値では、前記第２の補正値は対応する前記第１の補正値よりもオフセット値の分だけ低く設定されており、
前記少なくとも１つの候補値で共通に用いられる前記オフセット値は、上位レイヤシグナリングによって前記基地局から通知される、
端末。
【請求項２】
少なくとも１つの候補値では、前記第２の補正値は前記第１の補正値に等しく設定される、
請求項１に記載の端末。
【請求項３】
前記制御信号には、さらに、前記基地局と前記端末との距離が離れるほどより大きな値が設定されるタイミング制御値が含まれ、
前記送信制御部は、前記タイミング制御値が所定値を上回る場合、前記第２の補正値を用いて前記第２の送信電力を制御し、前記タイミング制御値が前記所定値以下の場合、前記第１の補正値を用いて前記第２の送信電力を制御する、
請求項１または２に記載の端末。
【請求項４】
前記制御信号には、さらに、前記端末間直接通信における周波数ホッピングの適用の有無を示す情報が含まれ、
前記送信制御部は、周波数ホッピングの適用が有る場合、前記第２の補正値を用いて前記第２の送信電力を制御し、周波数ホッピングの適用が無い場合、前記第１の補正値を用いて前記第２の送信電力を制御する、
請求項１から３のいずれか一項に記載の端末。
【請求項５】
前記制御信号には、さらに、前記端末間直接通信におけるMCSの値が含まれ、
前記送信制御部は、前記MCSの値が所定値を上回る場合、前記第２の補正値を用いて前記第２の送信電力を制御し、前記MCSの値が前記所定値以下の場合、前記第１の補正値を用いて前記第２の送信電力を制御する、
請求項１から４のいずれか一項に記載の端末。
【請求項６】
基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを選択する設定部と、
前記TPCコマンドを含む制御信号を送信する送信処理部と、
を具備し、
前記TPCコマンドの候補値毎に、前記第１の補正値及び前記第２の補正値が設定され、
少なくとも１つの候補値では、前記第２の補正値は対応する前記第１の補正値よりもオフセット値の分だけ低く設定されており、
前記少なくとも１つの候補値で共通に用いられる前記オフセット値は、上位レイヤシグナリングによって前記端末に通知される、
基地局。
【請求項７】
複数の候補値の中から選択されたTPCコマンドを含む制御信号を受信処理部が受信する受信工程と、
前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を送信制御部が制御する送信制御工程と、
を具備し、
前記TPCコマンドの候補値毎に、前記第１の補正値及び前記第２の補正値が設定され、
少なくとも１つの候補値では、前記第２の補正値は対応する前記第１の補正値よりもオフセット値の分だけ低く設定されており、
前記少なくとも１つの候補値で共通に用いられる前記オフセット値は、上位レイヤシグナリングによって前記基地局から通知される、
送信電力制御方法。
【請求項８】
基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを設定部が選択する設定工程と、
前記TPCコマンドを含む制御信号を送信処理部が送信する送信工程と、
を具備し、
前記TPCコマンドの候補値毎に、前記第１の補正値及び前記第２の補正値が設定され、
少なくとも１つの候補値では、前記第２の補正値は対応する前記第１の補正値よりもオフセット値の分だけ低く設定されており、
前記少なくとも１つの候補値で共通に用いられる前記オフセット値は、上位レイヤシグナリングによって前記端末に通知される、
送信電力設定方法。
【発明の詳細な説明】
【技術分野】
【０００１】
本開示は、端末、基地局、送信電力制御方法及び送信電力設定方法に関する。
【背景技術】
【０００２】
［基地局制御による端末間直接通信］
3GPP-LTE（3rd Generation Partnership Project Radio Access Network Long Term Evolution、以下、LTEという）をさらに拡張したLTE-Advancedでは、セルラーシステムと接続可能な端末（UE：User Equipmentと呼ばれることもある）間直接通信（D2D（Device-to-Device） communication）を行うことにより、電力効率を改善する方法が検討されている（例えば、非特許文献１を参照）。その際、基地局（eNBと呼ばれることもある）が当該基地局のカバーエリア内におけるD2D通信の制御を実施することにより、既存のセルラーシステムへの干渉を回避しつつ、D2D通信に付随する信号のやり取りに関して電力効率の改善が可能となる。
【０００３】
例えば、図１は、非特許文献１に開示されたD2D通信の制御手順の概略を示す。図１では、基地局（eNB）と、基地局のカバーエリア内のD2D通信を行う送信端末（D2D Tx UE）とD2D通信を行う受信端末（D2D Rx UE）とが存在する環境を想定する。
【０００４】
図１において、まず、eNBは、基地局自身が管理するリソース（WAN resourceと呼ぶ）のうち一部のリソースを、D2D通信用に割り当てる。具体的には、eNBは、D2D通信のデータ（D2Dデータ）、及び、D2Dデータの割当を示すScheduling Assignment（SA）に対するリソースをそれぞれData pool及びSA poolとして割り当てる。そして、eNBは、報知情報又は無線リソース制御（RRC signalling）の情報を用いて、Data pool及びSA poolに関する情報（Higher-layer resource pool configuration）をD2D Tx UE、及び、D2D Rx UEに予め通知(後者への通知は図示せず)する。
【０００５】
次いで、eNBは、D2D Tx UE向けの下り制御信号（例えば、PDCCH：Physical Downlink Control Channel）を用いて、D2Dデータ及びSAの送信許可（D2D grant）をD2D Tx UEに通知する。なお、D2D grantに示される指示内容には、D2D Rx UEの情報、D2Dデータ及びSAに用いる時間・周波数リソースの情報、適用される変調方式・符号化率の情報（MCS：Modulation and Coding Scheme）、又は、周波数ホッピングの情報などが含まれる。D2D Tx UEは、下り制御信号を観測（monitor）し、D2D grantを検出した場合、D2D grantに示された指示内容に従ってSAをD2D Rx UEへ送信する。また、D2D Tx UEは、D2D grantに示された指示内容に従ってD2DデータをD2D Rx UEへ送信する。
【０００６】
一方、D2D Rx UEは、SAを観測（monitor）して、自機宛てのSAを検出した場合、検出したSAに示される指示内容に応じてD2Dデータの検出及び復調を実施する。
【０００７】
［基地局向け上り信号の送信電力制御］
論理的な観点で１本のアンテナを持つ端末のみをサポートするLTEシステムでは、第ｉサブフレームにおける上りデータ信号（PUCCH：Physical Uplink Shared Channel）に対する送信電力PPUSCH(i)は、次式（１）に従って求められる（例えば、非特許文献２を参照）。
【数１】
0006396507.tif 000002
【０００８】
式（１）において、Pcmax[dBm]は、端末の最大送信電力を示し、MPUSCH(i)は、第ｉサブフレームにおいて割り当てられたPUSCHの周波数リソースブロック数を示し、PLは端末が測定したパスロスのレベル[dB]を示し、PO_PUSCH(j)［ｄＢｍ］およびα(j)は、PUSCHの送信電力の初期値、および、パスロス（ＰＬ）の補償割合を表す重み係数をそれぞれ示し、準固定割当（ｊ＝０）および動的割当（ｊ＝１）の種別に応じて個別に基地局から設定されるパラメータである。ΔTF(ｉ)はPUSCH上で制御情報を送信する場合に、制御情報量に応じて設定可能なオフセット値を示す。また、f(i)は、TPC（Transmission Power Control）コマンドを示す。f(i)は、クローズループ制御の場合には、TPCコマンド（例えば、+3dB,+1dB,0dB,-1dB）の過去の値を含めた第ｉサブフレームにおける累計値を示す。
【先行技術文献】
【非特許文献】
【０００９】
【非特許文献１】3GPP TSG RAN WG1 meeting #77, R1-142150, LG Electronics, “Operational procedure in Mode 1 for D2D communication”, May 2014
【非特許文献２】3GPP TS36.213 v8.8.0 (section 5.1), “3GPP TSG RAN E-UTRA Physical layer procedures (Release 8)”, September 2009
【発明の概要】
【発明が解決しようとする課題】
【００１０】
上述した基地局制御によるD2D通信を行う際、D2D送信端末は、D2D受信端末向けの信号（D2Dデータ）のみでなく、基地局向けの上りデータ信号（PUSCH）も同時に送信することが想定される。しかしながら、基地局向けの信号及びD2D通信向けの信号の送信電力制御を同時に扱う端末におけるD2D通信向けの信号に対する送信電力制御については、未だ十分な検討がなされていない。
【００１１】
本開示の一態様は、D2D通信を行う端末において、基地局向けの信号及びD2D通信向けの信号の双方に対する送信電力制御を適切に行うことができる端末、基地局、送信電力制御方法及び送信電力設定方法を提供することを目的とする。
【課題を解決するための手段】
【００１２】
本開示の一態様の端末は、複数の候補値の中から選択されたTPCコマンドを含む制御信号を受信する受信処理部と、前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を制御する送信制御部と、を具備し、前記TPCコマンドの候補値毎に、前記第１の補正値及び前記第２の補正値が設定され、少なくとも１つの候補値では、前記第２の補正値は対応する前記第１の補正値よりもオフセット値の分だけ低く設定されており、前記少なくとも１つの候補値で共通に用いられる前記オフセット値は、上位レイヤシグナリングによって前記基地局から通知される。
【００１３】
本開示の一態様の基地局は、基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを選択する設定部と、前記TPCコマンドを含む制御信号を送信する送信処理部と、を具備し、前記TPCコマンドの候補値毎に、前記第１の補正値及び前記第２の補正値が設定され、少なくとも１つの候補値では、前記第２の補正値は対応する前記第１の補正値よりもオフセット値の分だけ低く設定されており、前記少なくとも１つの候補値で共通に用いられる前記オフセット値は、上位レイヤシグナリングによって前記端末に通知される。
【００１４】
本開示の一態様の送信電力制御方法は、複数の候補値の中から選択されたTPCコマンドを含む制御信号を受信処理部が受信する受信工程と、前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を送信制御部が制御する送信制御工程と、を具備し、前記TPCコマンドの候補値毎に、前記第１の補正値及び前記第２の補正値が設定され、少なくとも１つの候補値では、前記第２の補正値は対応する前記第１の補正値よりもオフセット値の分だけ低く設定されており、前記少なくとも１つの候補値で共通に用いられる前記オフセット値は、上位レイヤシグナリングによって前記基地局から通知される。
【００１５】
本開示の一態様の送信電力設定方法は、基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを設定部が選択する設定工程と、前記TPCコマンドを含む制御信号を送信処理部が送信する送信工程と、を具備し、前記TPCコマンドの候補値毎に、前記第１の補正値及び前記第２の補正値が設定され、少なくとも１つの候補値では、前記第２の補正値は対応する前記第１の補正値よりもオフセット値の分だけ低く設定されており、前記少なくとも１つの候補値で共通に用いられる前記オフセット値は、上位レイヤシグナリングによって前記端末に通知される。
【発明の効果】
【００１６】
本開示の一態様によれば、D2D通信を行う端末において、基地局向けの信号及びD2D通信向けの信号の双方に対する送信電力制御を適切に行うことができる。
【図面の簡単な説明】
【００１７】
【図１】基地局制御によるD2D通信の動作を示す図
【図２】本開示の実施の形態１に係る基地局の主要構成を示すブロック図
【図３】本開示の実施の形態１に係る端末の主要構成を示すブロック図
【図４】本開示の実施の形態１に係る基地局の構成を示すブロック図
【図５】本開示の実施の形態１に係る端末の構成を示すブロック図
【図６】基地局制御によるD2D通信におけるパスロスを示す図
【図７】本開示の実施の形態１に係るTPCコマンドを示す図
【図８】本開示の実施の形態１の変形例Ａに係るTPCコマンドの一例を示す図
【図９】本開示の実施の形態１の変形例Ａに係るTPCコマンドの一例を示す図
【図１０】本開示の実施の形態１の変形例Ｂに係るTPCコマンドの一例を示す図
【図１１】本開示の実施の形態１の変形例Ｂに係るTPCコマンドの一例を示す図
【図１２】本開示の実施の形態１の変形例Ｂに係るTPCコマンドの一例を示す図
【図１３】本開示の実施の形態１の変形例Ｂに係るTPCコマンドの一例を示す図
【図１４】本開示の実施の形態１の変形例Ｂに係るTPCコマンドの一例を示す図
【図１５】本開示の実施の形態１の変形例Ｂに係るTPCコマンドの一例を示す図
【発明を実施するための形態】
【００１８】
以下、本開示の実施の形態について図面を参照して詳細に説明する。なお、実施の形態において、同一の構成要素には同一の符号を付し、その説明は重複するので省略する。
【００１９】
（実施の形態１）
［通信システムの概要］
本実施の形態に係る通信システムは、基地局１００と端末２００とを有する。基地局１００は、LTE-Advancedシステムに対応する基地局であり、端末２００は、LTE-AdvancedシステムにおいてD2D通信に対応する端末である。つまり、端末２００は、D2D Tx UE又はD2D Rx UEとして動作可能である。
【００２０】
図２は、本実施の形態に係る基地局１００の主要構成図である。基地局１００において、設定部１０１は、基地局１００向けの上りデータ信号又はD2D通信の信号に対する送信電力制御に用いられる送信電力の第１の補正値、又は、D2D通信の信号に対する送信電力制御に用いられる送信電力の第２の補正値に対応する複数の候補値の中から、端末２００からの品質報告に基づいてTPCコマンドを選択し、送信処理部１０４は、上記TPCコマンドを含む制御信号（UL grant又はD2D grant）を送信する。
【００２１】
図３は、本実施の形態に係る端末２００の主要構成図である。端末２００において、受信処理部２０３は、複数の候補値の中から選択されたTPCコマンドを含む制御信号（UL grant又はD2D grant）を受信し、送信制御部２０７は、受信されたTPCコマンドに対応する第１の補正値を用いて、基地局１００向けの上りデータ信号に対する第１の送信電力を制御し、受信されたTPCコマンドに対応する第１の補正値又は第２の補正値を用いてD2D通信の信号に対する第２の送信電力を制御する。
【００２２】
ただし、TPCコマンドの候補値毎に、第１の補正値及び第２の補正値が設定される。また、少なくとも１つの候補値では、第２の補正値は第１の補正値よりも低く設定されている。
【００２３】
［基地局１００の構成］
図４は、本実施の形態に係る基地局１００の構成を示すブロック図である。図４において、基地局１００は、設定部１０１と、符号化・変調部１０２、１０３と、送信処理部１０４と、送信部１０５と、アンテナ１０６と、受信部１０７と、受信処理部１０８と、データ受信部１０９と、品質報告受信部１１０とを有する。
【００２４】
設定部１０１は、D2D通信対象端末２００に対して、D2D通信に関する情報を生成する。D2D通信に関する情報には、例えば、D2D通信用に割当可能なリソース（Data pool及びSA pool）を示すD2D設定情報が含まれる。設定部１０１によって生成されたD2D設定情報は、制御情報（設定情報）として、符号化・変調部１０２、送信処理部１０４、及び送信部１０５において送信処理がなされた後に、D2D通信対象端末２００へ送信される。D2D設定情報を通知する制御情報の構成例として、システム情報（System information block）又は無線リソース制御の情報（RRC signalling）を用いることができる。
【００２５】
また、設定部１０１は、D2D通信対象端末２００のうち、D2D送信端末に対して、D2Dデータ及びSAの送信許可（D2D grant）に関するD2D grant情報を生成する。D2D grant情報には、D2D通信用のTPCコマンド（送信電力の補正値）、D2D受信端末またはD2D受信端末群の情報、D2Dデータ及びSAに用いる時間・周波数リソースの情報、適用される変調方式・符号化率の情報（MCS）、又は、周波数ホッピングの情報（適用の有無）などが含まれる。例えば、設定部１０１は、端末２００から報告される品質報告（後述する）に基づいて、複数の候補値の中からD2D通信用のTPCコマンドを選択する。設定部１０１によって生成されたD2D grant情報は、制御情報（設定情報）として、符号化・変調部１０２、送信処理部１０４、及び送信部１０５において送信処理がなされた後に、D2D通信対象端末２００へ送信される。
【００２６】
また、設定部１０１は、端末２００に対して、基地局１００向け上りデータ信号（PUSCH）に対する送信許可（UL grant）に関するUL grant情報を生成する。UL grant情報には、例えば、上りデータ信号（PUSCH）用のTPCコマンド、上りデータ信号を割り当てる上りリソース、適用されるMCSなどが含まれる。設定部１０１によって生成されたUL grant情報は、制御情報（割当制御情報）として、受信処理部１０８に出力されるとともに、符号化・変調部１０２を介して基地局１００から端末２００へ通知される。
【００２７】
このようにして、PUSCHに対する送信電力、及び、D2Dデータに対する送信電力に対する送信電力制御に用いられるTPCコマンドを含む制御信号（D2D grant情報及びUL grant情報）が送信される。なお、D2D grant情報及びUL grant情報を通知する制御情報の構成例として、下り制御信号（PDCCH：Physical Downlink Control Channel）を用いることができる。
【００２８】
また、設定部１０１は、下りデータ信号（PDSCH：Physical Downlink Shared Channel）を割り当てる下りリソースに関する下りリソース割当情報を生成する。下りリソース割当情報は、制御情報（割当制御情報）として送信処理部１０４に出力されるとともに、符号化・変調部１０２を介して基地局１００から端末２００へ通知される。また、設定部１０１は、参照信号が送信されるサブフレームを示す設定情報を生成する。この設定情報は、符号化・変調部１０２を介して基地局１００から端末２００へ通知される。
【００２９】
符号化・変調部１０２は、設定部１０１から受け取る情報を符号化及び変調し、得られた変調信号を送信処理部１０４へ出力する。
【００３０】
符号化・変調部１０３は、入力されるデータ信号（送信データ）を符号化及び変調し、得られた変調信号を送信処理部１０４へ出力する。
【００３１】
送信処理部１０４は、符号化・変調部１０２及び符号化・変調部１０３から受け取る変調信号を、設定部１０１から受け取る下りリソースに関する割当制御情報の示すリソースにマッピングすることにより、送信信号を形成する。ここで、送信信号がOFDM（Orthogonal Frequency Division Multiplexing）信号である場合には、送信処理部１０４は、変調信号を、設定部１０１から受け取る下りリソースに関する割当制御情報の示すリソースにマッピングし、逆高速フーリエ変換（IFFT：Inverse Fast Fourier Transform）処理を施して時間波形に変換し、CP（Cyclic Prefix）を付加することにより、OFDM信号を形成する。
【００３２】
送信部１０５は、送信処理部１０４から受け取る送信信号に対して送信無線処理（アップコンバート、ディジタルアナログ（Ｄ／Ａ）変換など）を施し、アンテナ１０６を介して送信する。
【００３３】
受信部１０７は、アンテナ１０６を介して受信した無線信号に対して受信無線処理（ダウンコンバート、アナログディジタル（Ａ／Ｄ）変換など）を施し、得られた受信信号を受信処理部１０８へ出力する。
【００３４】
受信処理部１０８は、設定部１０１から受け取る上りリソースに関する割当制御情報に基づいて上りデータ信号及びＡＣＫ／ＮＡＣＫ情報がマッピングされているリソースを特定し、受信信号から、特定されたリソースにマッピングされている信号成分を抽出する。また、受信処理部１０８は、受信信号から、D2D通信対象端末２００の品質報告を抽出する。なお、品質報告には、例えば、参照信号の受信電力（RSRP：Reference Signal Received Power）や受信品質（RSRQ：Reference Signal Received Quality）又は送信電力許容値（PHR：Power Headroom）、タイミング制御に関する情報などが含まれる。
【００３５】
ここで、受信信号がOFDM信号である場合には、受信処理部１０８は、抽出された信号成分に対してIDFT（Inverse Discrete Fourier Transform）処理を施すことにより、時間領域信号に変換する。
【００３６】
こうして受信処理部１０８によって抽出された上りデータ信号（受信データ）及びＡＣＫ／ＮＡＣＫ情報は、データ受信部１０９へ出力され、品質報告は、品質報告受信部１１０へ出力される。
【００３７】
データ受信部１０９は、受信処理部１０８から受け取る信号を復号する。これにより、上りリンクデータ及びＡＣＫ／ＮＡＣＫ情報が得られる。
【００３８】
品質報告受信部１１０は、受信処理部１０８から受け取る信号を他の構成部（図示せず）へ出力する。基地局１００は、受信した各D2D通信対象端末２００の品質報告に基づいて、D2D通信対象端末２００の選択、又は、適用されるMCSの選択等を実施する。
【００３９】
［端末２００の構成］
図５は、本実施の形態に係る端末２００の構成を示すブロック図である。以下では、まず、D2D送信端末（D2D Tx UE）の構成について説明する。
【００４０】
図５において、端末２００は、アンテナ２０１と、受信部２０２と、受信処理部２０３と、ＳＡ生成部２０４と、データ信号生成部２０５と、品質報告生成部２０６と、送信制御部２０７と、送信信号形成部２０８と、送信部２０９とを有する。
【００４１】
受信部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００４２】
受信処理部２０３は、受信信号に含まれる制御情報及びデータ信号を抽出する。
【００４３】
受信処理部２０３は、制御情報のうち、D2D設定情報（Data pool、SA pool）を送信制御部２０７及び受信部２０２へ出力し、D2D grant情報及びUL grant情報を送信制御部２０７へ出力し、設定情報を品質報告生成部２０６へ出力する。
【００４４】
また、受信処理部２０３は、制御情報に含まれる下りリソース割当情報に従って抽出された下りデータ信号（PDSCH）に対して誤り検出処理を行い、誤り検出結果に応じたＡＣＫ／ＮＡＣＫ情報をデータ信号生成部２０５へ出力する。誤りの無い下りデータ信号は、受信データとして取り出される。
【００４５】
また、受信処理部２０３は、別途通知される制御情報から、参照信号が送信されるサブフレームを示す設定情報を抽出し、設定情報を品質報告生成部２０６に出力する。
【００４６】
なお、受信信号がOFDM信号の場合には、受信処理部２０３は、ＣＰ除去処理、ＦＦＴ処理も行う。
【００４７】
ＳＡ生成部２０４は、送信制御部２０７からＳＡ生成の指示を受け取ると、D2D grant情報のうち、D2D受信端末へ通知するSAに関する情報に対して符号化及び変調を行うことによりＳＡ信号を生成し、送信信号形成部２０８へ出力する。なお、ＳＡ生成部２０４は、複数のD2D受信端末からなるD2D受信端末群宛てのＳＡ信号を生成してもよい。
【００４８】
データ信号生成部２０５は、送信制御部２０７から基地局１００向けの送信信号生成の指示を受け取ると、ＡＣＫ／ＮＡＣＫ情報及び送信データを入力とし、送信制御部２０７から受け取るMCS情報に基づいてＡＣＫ／ＮＡＣＫ情報及び送信データを符号化及び変調することにより、上りデータ信号（PUSCH）を生成する。
【００４９】
また、データ信号生成部２０５は、送信制御部２０７からD2D受信端末向けの送信信号生成の指示を受け取ると、送信制御部２０７から受け取るＭＣＳ情報に基づいて送信データを符号化及び変調することにより、D2Dデータを生成する。
【００５０】
品質報告生成部２０６は、受信処理部２０３から受け取る設定情報に基づいて、参照信号を観測し、参照信号を用いて品質報告を生成する。例えば、品質報告生成部２０６は、受信信号電力（RSRP）や受信品質（RSRQ）、タイミング制御に関する情報、又は、送信信号形成部２０８から受け取る送信電力許容値（PHR）を用いて品質報告を生成する。品質報告生成部２０６は、生成した品質報告を送信信号形成部２０８へ出力する。
【００５１】
送信制御部２０７は、受信処理部２０３から受け取るUL grant情報に基づいて、基地局１００向けの送信信号生成の指示をデータ信号生成部２０５へ出力する。当該指示には、基地局１００向けの送信信号（PUSCH）の割当リソース及びMCSが含まれる。
【００５２】
また、送信制御部２０７は、受信処理部２０３から受け取るD2D grant情報に基づいて、ＳＡ生成の指示をＳＡ生成部２０４へ出力するとともに、D2D受信端末向けの送信信号生成の指示をデータ信号生成部２０５へ出力する。
【００５３】
また、送信制御部２０７は、受信処理部２０３から受け取るUL grant情報又はD2D grant情報に基づいて、上りデータ信号（PUSCH）、D2Dデータ、ＳＡ信号をマッピングする「マッピングリソース」を特定し、マッピングリソースに関する情報（以下、「マッピングリソース情報」と呼ばれることがある）を送信信号形成部２０８へ出力する。
【００５４】
また、送信制御部２０７は、UL grant情報及びD2D grant情報に含まれるTPCコマンドを用いて、上りデータ信号の送信電力、及び、D2Dデータ及びSA信号の送信電力をそれぞれ制御する。送信制御部２０７は、上りデータ信号又はD2D通信の信号に対する送信電力制御の指示を送信部２０９へ出力する。なお、送信制御部２０７における送信電力の制御方法の詳細については後述する。
【００５５】
送信信号形成部２０８は、ＳＡ生成部２０４から受け取るＳＡ信号をＳＡ信号用のマッピングリソースにマッピングする。また、送信信号形成部２０８は、データ信号生成部２０５から受け取るデータ信号（PUSCH信号又はD2Dデータ）を対応するマッピングリソースにマッピングする。また、送信信号形成部２０８は、品質報告生成部２０６から受け取る品質報告を、品質報告用のマッピングリソースにマッピングする。こうして送信信号が形成される。なお、送信信号がOFDM信号の場合には、送信信号形成部２０８は、データ信号をＤＦＴ（Discrete Fourier transform）処理した後に、マッピングリソースにマッピングする。また、形成された送信信号に対してＣＰが付加される。
【００５６】
送信部２０９は、送信信号形成部２０８で形成された送信信号に対して送信無線処理（アップコンバート、ディジタルアナログ（Ｄ／Ａ）変換など）を施してアンテナ２０１を介して送信する。この際、送信部２０９は、送信制御部２０７から指示される送信電力を用いて送信信号を送信する。
【００５７】
次いで、図５に示す端末２００におけるD2D受信端末（D2D Rx UE）の構成について、D2D送信端末と異なる点について説明する。
【００５８】
D2D受信端末２００では、受信部２０２は、D2D設定情報を用いて、受信信号からＳＡ信号がマッピングされたリソースの成分を抽出する。
【００５９】
受信処理部２０３は、受信部２０２から受け取る信号成分を観測して、自機宛てのＳＡ信号を検出する。受信信号処理部２０３は、自機宛てのＳＡ信号を検出すると、ＳＡ信号の内容に従って、D2Dデータの検出、及び復調を実施する。復調されたD2Dデータは受信データとして取り出される。なお、ここでは端末２００が自機宛てのＳＡ信号を検出する動作としたが、これに限らず、自機を含む複数のD2D受信端末からなるD2D受信端末群宛てのＳＡ信号が生成されるものとしてもよい。
【００６０】
［基地局１００及び端末２００の動作］
以上の構成を有する基地局１００及び端末２００の動作について説明する。
【００６１】
基地局１００において、設定部１０１は、D2D通信対象端末２００に対して、基地局１００向け送信信号（つまり、PUSCH）に適用する送信電力制御値、及び、D2D通信におけるＳＡ信号及びD2Dデータに適用する送信電力制御値を設定する。
【００６２】
例えば、第ｉサブフレームにおけるPUSCHに対する送信電力PPUSCH(i)は、式（１）に従って求められる。また、第ｉサブフレームにおけるＳＡ信号及びD2Dデータに対する送信電力PD2D(i)は、次式（２）に従って求められる。
【数２】
0006396507.tif 000003
【００６３】
式（２）において、Pcmax[dBm]は、端末２００の最大送信電力を示し、MD2D(i)は、第ｉサブフレームにおいて割り当てられたD2D通信の送信信号の周波数リソースブロック数を示し、PLは端末２００が測定したパスロスのレベル[dB]を示し、PO_D2D(j)［ｄＢｍ］およびαD2D(j)は、D2D通信の送信信号の送信電力の初期値、および、パスロス（ＰＬ）の補償割合を表す重み係数をそれぞれ示し、準固定割当（ｊ＝０）および動的割当（ｊ＝１）の種別に応じて個別に基地局１００から設定されるパラメータである。ΔTF_D2D(ｉ)はD2D通信の送信信号上で制御情報を送信する場合に、制御情報量に応じて設定可能なオフセット値を示す。また、fD2D(i)は、D2D通信用のTPCコマンドを示す。
【００６４】
ここで、式（１）と式（２）とにおいて、パスロスPL、送信電力の初期値Po_PUSCH、Po_D2D、及び、重み係数α、αD2Dを共通の値とすることが考えられる。具体的には、式（１）及び式（２）に示すPLとして、基地局１００とD2D送信端末２００との距離に対応するパスロスが設定される。また、式（２）のPo_D2D、αD2Dとして、式（１）のPUSCHの送信電力の算出に用いられるPo_PUSCH、αと同じ値が設定される。
【００６５】
すなわち、ここでは、D2D通信の送信電力の算出において、基地局１００とD2D通信端末との間の通信環境が考慮される。こうすることで、基地局１００がD2D送信端末以外の他の端末からの上りデータ信号（PUSCH）又は上り制御信号（PUCCH）を受信する際、D2D送信端末から送信される信号が、基地局１００とD2D送信端末との間のパスロスPLを上回る電力によって送信されることを回避できる。これにより、基地局１００において、D2D送信端末からの信号が他の端末からの信号に対して過度に干渉を及ぼすことを回避できる。更に、D2D受信端末において、D2D送信端末からの信号（所望信号）が他の端末から基地局１００向けの上り信号（干渉信号）から受ける干渉を抑えることができる。
【００６６】
一方、図６に示すように、D2D通信が適用される環境としては、基地局１００（eNB）から離れた位置にあるD2D送信端末と、D2D送信端末の周辺に存在するD2D受信端末とが通信を行うことが想定される。この環境において、D2D通信の送信電力制御を行う際、本来であればD2D送信端末とD2D受信端末との間のパスロスPL'を補償すればよい。ただし、ここでは、上述したように、式（２）に示すD2D通信の送信電力制御において、基地局１００とD2D送信端末との間のパスロスPLを用いる。このため、式（２）に示すD2D通信の送信電力制御では、D2D通信端末間の距離が短い場合（PL'<PL）でも、PLに対応する大きな送信電力が設定され、D2D通信の適用による電力効率の改善効果が得られない場合も考えられる。
【００６７】
そこで、本実施の形態では、D2D grantによって通知されるD2D通信用のTPCコマンドに対応する送信電力の補正値を、UL grantによって通知されるPUSCH用のTPCコマンドに対応する送信電力の補正値と異ならせる。具体的には、D2D通信用のTPCコマンドによる電力低減量を、PUSCH用のTPCコマンドによる電力低減量よりも大きくする。こうすることで、D2D通信での送信電力制御による最適な送信電力値への収束を、PUSCHに対する送信電力制御よりも早めることが可能となる。
【００６８】
具体的には、式（１）に示すPUSCH用のTPCコマンドの累計値fPUSCH(i)（式（１）に示すf(i)に相当する）は、次式（３）に従って更新される。
【数３】
0006396507.tif 000004
【００６９】
式（３）において、δPUSCH(i-KPUSCH)は、第ｉサブフレームからKPUSCHサブフレーム前に指示されたTPCコマンドに対応する送信電力の補正値［dB］を示す。つまり、KPUSCHはPUSCH用のTPCコマンドの指示タイミング（サブフレーム）を示す。
【００７０】
例えば、図７Ａに示すように、２ビットで表されるTPCコマンドフィールド（「コードポイント」と呼ぶこともある）において異なる値のδPUSCHがそれぞれ対応づけられる。図７Ａでは、TPCコマンドの候補値０，１，２，３（00,01,10,11）に対して、δPUSCH＝−１，０，１，３がそれぞれ設定されている。
【００７１】
これに対して、式（２）に示すD2D通信用のTPCコマンドの累計値fD2D(i)は、次式（４）に従って更新される。
【数４】
0006396507.tif 000005
【００７２】
式（４）において、δD2D(i-K)は、第ｉサブフレームからKサブフレーム前に指示されたTPCコマンドに対応する送信電力の補正値［dB］を示す。つまり、KはD2D通信用のTPCコマンドの指示タイミング（サブフレーム）を示す。
【００７３】
例えば、図７Ｂでは、２ビットのTPCコマンドの候補値０，１，２，３（00,01,10,11）に対して、δD2D＝−1-β，０−β，１−β，３−βがそれぞれ設定されている。図７Ｂに示すβは、D2D送信端末に対して別途設定された所定値（正の整数値）である。
【００７４】
図７Ａに示すδPUSCHと図７Ｂに示すδD2Dとを比較すると、TPCコマンドの各候補値においてδD2DはδPUSCHよりも低い。具体的には、各δD2Dは、対応するδPUSCHよりもβの分だけ低い値を採る。つまり、D2D通信の送信電力制御では、PUSCHの送信電力制御と比較して、送信電力値をより早く低減させることが可能となる。
【００７５】
例えば、図７Ｂにおいて、β=2とすると、TPCコマンド=３ではδD2D＝１となり、電力増大が指示される。一方、TPCコマンド＝０ではδD2D＝-3dBとなり、δPUSCH（最小値：-1dB）では採ることができない、より大きな値の電力低減が指示可能となる。また、例えば、図７Ｂにおいて、βを４以上の値（つまり、図７Ａに示すδPUSCHの最大値（3dB）より大きい値）とすると、全てのTPCコマンドにおいてδD2Dの値は０未満となる。すなわち、全てのTPCコマンドによってD2D通信の送信電力の低減が指示可能となる。
【００７６】
なお、βを指示する制御信号としては、例えば、無線リソース制御の情報（RRC signalling）、又は、MAC signallingなどの上位レイヤのシグナリングを用いてもよい。
【００７７】
以上のように、基地局１００は、補正値δPUSCH又は補正値δD2Dに対応する複数の候補値の中から、端末２００からの品質報告に基づいてTPCコマンドを選択する。一方、端末２００は、基地局１００との通信時には、受信されたTPCコマンドに対応する補正値δPUSCHを用いて基地局向けの上りデータ信号に対する送信電力を制御し、D2D通信時には、受信されたTPCコマンドに対応する補正値δD2Dを用いてD2D通信の信号に対する送信電力を制御する。
【００７８】
このとき、D2D通信の送信電力制御に用いられるTPCコマンドによって通知される補正値δD2Dと、PUSCHの送信電力制御に用いられるTPCコマンドによって通知される補正値δPUSCHとを異ならせ、D2D通信での電力低減量を、PUSCH送信での電力低減量よりも大きくする。具体的には、TPCコマンドの各候補値において、D2D通信の送信電力の制御に用いられる補正値δD2Dは、PUSCHの送信電力の制御に用いられる補正値δPUSCHよりも低く設定される。これにより、D2D通信の送信電力制御では、PUSCHの送信電力制御と比較して、１度のTPCコマンドの通知による電力低減量をより大きくすることができる。
【００７９】
例えば、図１に示すように、D2D通信では、１回のD2D grant（リソース割当）によって複数のD2Dデータの割当がまとめて行われることが想定される。つまり、D2D通信では、PUSCHなどの基地局１００と端末２００との通信と比較して、リソース割当の頻度が少ないことが想定される。これに対して、本実施の形態によれば、PUSCHの送信電力制御と比較して、１度のD2D grantによる電力低減量を、より大きくすることにより、適切な送信電力へより早く収束するような送信電力制御が可能となる。
【００８０】
また、PUSCH用のTPCコマンド（２ビット）と同様、D2D通信用のTPCコマンドは、制限されたビット数にて通知できるような設計を要求されることが考えられる。これに対して、本実施の形態では、図７Ａ及び図７Ｂに示すように、D2D通信用のTPCコマンドは、PUSCH用のTPCコマンド（２ビット）と同数のビット数を用いて設定され、かつ、同一候補値に対応する送信電力の補正値をPUSCH用のTPCコマンドよりも低く設定される。こうすることで、D2D通信においても、PUSCHの送信電力制御と同程度の送信電力制御の柔軟度を損なうことなく、制限されたビット数にて、より低く設定された電力低減量を通知できるような設計が可能となる。
【００８１】
以上より、本実施の形態では、D2D通信において、基地局１００向けのPUSCHの通信と同様の送信電力制御機構を適用しつつ、より小さな送信電力値の設定をより早く実現することができる。
【００８２】
また、本実施の形態では、D2D通信用のTPCコマンドは、UL grantとは別のD2D grantによって通知される。このため、基地局１００向けの送信信号に対する送信電力制御に影響を与えることなく、D2D通信の送信電力制御を行うことができる。
【００８３】
よって、本実施の形態によれば、D2D通信を行う端末２００において、基地局１００向けの信号及びD2D通信向けの信号の双方に対する送信電力制御を適切に行うことができる。
【００８４】
＜実施の形態１の変形例Ａ＞
上記実施の形態では、図７Ｂに示すように、PUSCH送信用のδPUSCHに対するオフセット値βを全てのTPCコマンドの候補値（０〜３）に適用する場合について説明した。しかし、TPCコマンドの複数の候補値のうち、少なくとも１つの候補値においてδD2DをδPUSCHよりも低くなるように設定してもよい。そこで、本変形例では、D2D通信用のTPCコマンドの複数の候補値のうち一部の候補値のみにPUSCH送信用のδPUSCHに対するオフセット値を適用する。
【００８５】
例えば、D2D通信では、電力低減の指示がより多く要求されるのに対し、大きく電力増加させる機会がほとんどないと考えられる。そこで、図８に示すδD2Dでは、この点に着目して、図７Ａに示すδPUSCHのうち最大値に対応するTPCコマンド＝３においてオフセットγが適用される。図８に示すγは、D2D送信端末に対して別途通知された所定値（正の整数値）である。こうすることで、D2D通信では指示機会がほとんどないと想定されるδD2D＝３を用いる代わりに、δD2D＝３−γ（３未満の値）を用いることができるので、D2D通信に対する送信電力制御をより柔軟に実施することが可能となる。
【００８６】
また、他の例として、図９に示すδD2Dでは、図７Ａに示すδPUSCHのうち電力低減を指示するTPCコマンド＝０（δPUSCH＜０）においてオフセットγが適用されてもよい。また、図９に示すδD2Dでは、図７Ａに示すδPUSCHのうち最大値に対応するTPCコマンド＝０においてオフセットγが適用されているとも言える。こうすることで、D2D通信の送信電力制御において送信電力を低減させる際、１度のTPCコマンドの通知による電力低減量をより大きくすることができる。
【００８７】
すなわち、変形例Ａでは、TPCコマンドの各候補値においてδD2DはδPUSCH以下に設定され、少なくとも１つの候補値では、δD2DはδPUSCHよりも低く設定されている。
【００８８】
なお、図８及び図９では、TPCコマンドの１つの候補値に対してのみオフセットγを適用する場合について説明したが、これに限定されず、２つ以上の一部の候補値に対してオフセットγを適用してもよい。例えば、２ビットで表される４個のTPCコマンドのうち、最大の電力増加量（最大の補正値）に対応するTPCコマンド、及び、最大の電力低減量（最小の補正値）に対応するTPCコマンドに対してオフセットγを適用してもよい。
【００８９】
＜実施の形態１の変形例Ｂ＞
上記実施の形態では、累積型のクローズループ制御（式（３）及び式（４）を参照）を行う場合について説明した。これに対して、本変形例では、累積値を用いるのではなく、絶対値を指示するクローズループ制御を行う場合について説明する。
【００９０】
具体的には、式（１）に示すPUSCH用のTPCコマンドの指示値fPUSCH(i)（式（１）に示すf(i)に相当する）は、次式（５）に従って設定される。
【数５】
0006396507.tif 000006
【００９１】
例えば、図１０Ａに示すように、TPCコマンドの候補値０，１，２，３（00,01,10,11）に対して、δPUSCH＝−４，−１，１，４がそれぞれ設定されている。
【００９２】
これに対して、式（２）に示すD2D通信用のTPCコマンドの指示値fD2D(i)は、次式（６）に従って更新される。
【数６】
0006396507.tif 000007
【００９３】
例えば、図１０Ｂに示すように、TPCコマンドの候補値０，１，２，３（00,01,10,11）に対して、δPUSCH＝−４−β，−１−β，１−β，４−βがそれぞれ設定されている。図１０Ｂに示すβは、D2D送信端末に対して別途通知された所定値（正の整数値）である。
【００９４】
図１０Ａに示すδPUSCHと図１０Ｂに示すδD2Dとを比較すると、TPCコマンドの各候補値においてδD2DはδPUSCHよりもβの分だけ低い値を採る。つまり、D2D通信の送信電力制御では、PUSCHの送信電力制御と比較して、送信電力値をより早く低減させることが可能となる。
【００９５】
このようにして、送信電力の補正値を絶対値にて指示する送信電力制御を適用する場合でも、上記実施の形態と同様にして、D2D通信の送信電力制御において、基地局１００向けのPUSCHの通信と同様の送信電力制御機構を適用しつつ、適切な送信電力へより早く収束するような送信電力制御が可能となる。
【００９６】
なお、変形例Ａと同様、D2D通信用のTPCコマンドの複数の候補値のうち一部の候補値のみにPUSCH送信用のδPUSCHに対するオフセット値を適用してもよい。例えば、図１１は、２ビットで表される４個のTPCコマンドのうち、最大の電力低減量に対応するTPCコマンド＝０に対してオフセットγを適用した例を示し、図１２は、２ビットで表される４個のTPCコマンドのうち、最大の電力増加量に対応するTPCコマンド＝３に対してオフセットγを適用した例を示す。
【００９７】
また、図１３Ａに示すランダムアクセスの手順において用いられる３ビットのTPCコマンドに対して、図１３Ｂに示すように、オフセットβを適用して、D2D通信の送信電力制御に用いるTPCコマンドとして置き換えてもよい。また、変形例Ａと同様、図１４及び図１５に示すように、TPCコマンドのうち一部のTPCコマンドのみにδmsg2に対するオフセットγを適用してもよい。
【００９８】
（実施の形態２）
本実施の形態に係る基地局及び端末の基本構成は、実施の形態１と同様であるので、図４（基地局１００）と図５（端末２００）を援用して説明する。
【００９９】
本実施の形態では、D2D通信におけるTPCコマンドの指示内容をPUSCH送信におけるTPCコマンドの指示内容と異ならせる状況を限定する場合について説明する。換言すると、端末２００は、D2D通信の送信電力制御において、状況に応じて、基地局１００から通知されるTPCコマンドの解釈を変える。
【０１００】
以下、D2D通信のTPCコマンドの指示内容を判断する基準となる状況として、ケース１〜ケース３について説明する。
【０１０１】
＜ケース１＞
実施の形態１において説明したように、式（２）に示すD2D通信の送信電力制御のパラメータとして、D2D送信端末と基地局１００との間のパスロスPLが用いられる。
【０１０２】
よって、例えば、図６に示すように、D2D送信端末及びD2D受信端末が基地局１００から離れている場合（例えば、セルエッジ付近に位置する場合）、式（２）に示す送信電力制御において用いられるパスロスPLは、実際の端末間のパスロスPL'よりも大きい。この場合、式（２）により設定される送信電力は、実際のD2D通信に要する最適な送信電力よりも大きい送信電力が設定されやすくなる。
【０１０３】
一方、D2D送信端末及びD2D受信端末が基地局１００付近に位置する場合、式（２）に示す送信電力制御において用いられるパスロスPLと、実際の端末間のパスロスPL'との差は小さくなる。このため、式（２）により設定される送信電力は、実際のD2D通信に要する最適な送信電力値に近似する値が設定されやすくなる。
【０１０４】
つまり、D2D通信端末２００が基地局１００から離れている場合には、D2D通信端末２００が基地局１００付近に位置する場合よりも、送信電力を低減させる送信電力制御の行われる機会が多くなる。
【０１０５】
そこで、ケース１では、基地局１００及び端末２００は、D2D通信端末と基地局１００との距離と比較して、D2D通信を行う端末同士が近接している状況であるか否かを特定する。そして、基地局１００及び端末２００は、D2D通信を行う端末同士が近接している状況である場合、より大きな電力低減量の補正値が設定されたTPCコマンドの対応付けを用いて、送信電力制御を行う。
【０１０６】
例えば、基地局１００及び端末２００は、D2D grantに含まれるタイミング制御値（例えば、Timing Advance値（TA値））が所定値を上回るか否かによって、設定されるTPCコマンドに対応する送信電力の補正値の解釈を異ならせる。
【０１０７】
D2D grantに含まれるタイミング制御値は、D2D送信端末の送信タイミング（D2D受信端末の受信タイミング）を調整するための値である。例えば、D2D通信端末２００と基地局１００との距離が離れているほど、タイミング制御値はより大きい値に設定される。また、タイミング制御値が大きいほど、D2D送信端末は、より早いタイミングにおいてD2D受信端末宛ての信号を送信する。これにより、D2D受信端末での受信タイミングを基準となるタイミングに揃える（調整する）ことができる。
【０１０８】
具体的には、まず、基地局１００（品質報告受信部１１０）は、D2D通信対象端末２００（D2D送信端末及びD2D受信端末）から品質報告を受け取る。次いで、基地局１００（設定部１０１）は、品質報告に含まれるD2D受信端末のタイミング制御の情報を用いて、D2D grantに含めて指示するタイミング制御値を設定する。
【０１０９】
基地局１００（設定部１０１）は、設定したタイミング制御値に応じて、D2D通信用のTPCコマンドの指示内容を設定する。具体的には、基地局１００は、タイミング制御値が所定値を上回る場合には、より大きい電力低減量の補正値が設定されたTPCコマンド（例えば、図７Ｂ）を用い、タイミング制御値が所定値以下の場合には、PUSCH送信と同様の補正値が設定されたTPCコマンドを用いて、D2D通信用のTPCコマンドを設定する。そして、基地局１００は、決定したTPCコマンドをD2D送信端末へ通知する。
【０１１０】
同様に、D2D送信端末２００は、検出したD2D grantによって通知されたタイミング制御値が所定値を上回る場合には、より大きい電力低減量の補正値が設定されたTPCコマンドの対応付け（例えば、図７Ｂ）を用い、タイミング制御値が所定値以下の場合には、PUSCH送信と同様の補正値が設定されたTPCコマンドの対応付け（例えば、図７Ａ）を用いて、通知されたTPCコマンドの指示ビットに対応するTPCコマンドを特定する。そして、端末２００は、特定したTPCコマンドを用いて制御した送信電力によってＳＡ信号及びD2Dデータを送信する。
【０１１１】
なお、判断基準となる所定値は、例えば、制御信号により基地局１００から端末２００に別途通知される。
【０１１２】
このように、タイミング制御値が所定値を上回る場合、つまり、D2D通信端末が基地局１００から離れている場合、PUSCH用のTPCコマンドの対応付けよりも電力低減量が大きい対応付けが用いられる。
【０１１３】
＜ケース２＞
ケース２では、基地局１００及び端末２００は、D2D grantに含まれるリソース割当情報の値に応じてTPCコマンドの指示内容の解釈を変える。
【０１１４】
ここで、リソース割当情報の１つとして周波数ホッピングの適用の有無を示す情報がある。例えば、周波数ホッピング無しが設定されるD2D通信環境は、ロバスト性の低い信号送信の適用が可能な環境であるとみなすことができる。換言すると、このようなD2D通信環境では、周波数ホッピングが不要と判断されていると言える。よって、例えば、周波数ホッピング無しが設定されている状況とは、D2D送信端末とD2D受信端末とが近接している状況であり、低い送信電力での通信が可能な状況であると言える。
【０１１５】
そこで、ケース２では、基地局１００及び端末２００は、周波数ホッピングの有無に応じて、D2D送信端末とD2D受信端末とが近接している状況か否かを特定し、D2D通信における送信電力値をより早く低減させるべきか否かを判断する。
【０１１６】
具体的には、基地局１００は、D2D grantに含まれる周波数ホッピングの適用の有無を示す情報が周波数ホッピング無しを示す場合には、より大きい電力低減量の補正値が設定されたTPCコマンド（例えば、図７Ｂ）を用い、周波数ホッピング有りを示す場合には、PUSCH送信と同様の補正値が設定されたTPCコマンド（例えば、図７Ａ）を用いて、D2D通信用のTPCコマンドを設定する。そして、基地局１００は、決定したTPCコマンドをD2D送信端末へ通知する。
【０１１７】
同様に、D2D送信端末２００は、検出したD2D grantによって通知された周波数ホッピングの適用の有無を示す情報が周波数ホッピング無しを示す場合には、より大きい電力低減量の補正値が設定されたTPCコマンドの対応付け（例えば、図７Ｂ）を用い、周波数ホッピング有りを示す場合には、PUSCH送信と同様の補正値が設定されたTPCコマンドの対応付け（例えば、図７Ａ）を用いて、通知されたTPCコマンドの指示ビットに対応するTPCコマンドを特定する。そして、端末２００は、特定したTPCコマンドを用いて制御した送信電力によってＳＡ信号及びD2Dデータを送信する。
【０１１８】
このように、周波数ホッピングの適用が無い場合、つまり、D2D通信端末同士が近接している場合、PUSCH用のTPCコマンドの対応付けよりも電力低減量が大きい対応付けが用いられる。
【０１１９】
なお、周波数ホッピングの有無の代わりに、信号の繰り返し送信数（Repetition Factor）を指示する情報において、繰り返し送信が無い場合、又は、繰り返し送信数が所定値以下の場合に、より大きい電力低減量の補正値が設定されたTPCコマンドの対応付け（例えば、図７Ｂ）を用いることが決定され、繰り返し送信が有る場合、又は、繰り返し送信数が所定値を上回る場合に、PUSCH送信と同様の補正値が設定されたTPCコマンドの対応付け（例えば、図７Ａ）を用いることが決定されてもよい。
【０１２０】
繰り返し送信数がより少ないほど、D2D通信環境は、ロバスト性の低い信号送信の適用が可能な環境であるとみなすことができる。つまり、繰り返し送信数が少ない状況では、周波数ホッピング無しが設定されている状況と同様、D2D送信端末とD2D受信端末とが近接している状況であり、低い送信電力での通信が可能な状況であると言える。
【０１２１】
＜ケース３＞
ケース３では、基地局１００及び端末２００は、D2D grantに含まれるMCSの値に応じてTPCコマンドの指示内容の解釈を変える。
【０１２２】
MCSの値が高いほど、より高い周波数利用効率が得られる符号化率と変調方式との組み合わせに対応する。例えば、通信品質が良好な環境ほど、より高い周波数利用効率に対応するMCSが選択される。また、D2D送信端末とD2D受信端末との距離が近いほど、通信品質が良好になるので、より高い値のMCSが設定される。つまり、高い値のMCSが設定されている状況とは、D2D送信端末とD2D受信端末とが近接している状況であり、低い送信電力での通信が可能な状況であると言える。
【０１２３】
そこで、ケース３では、基地局１００及び端末２００は、MCSの値に応じて、D2D送信端末とD2D受信端末とが近接している状況か否かを特定し、D2D通信における送信電力値をより早く低減させるべきか否かを判断する。
【０１２４】
具体的には、基地局１００は、D2D grantに含まれるMCSの値が所定値を上回る場合には、より大きい電力低減量の補正値が設定されたTPCコマンド（例えば、図７Ｂ）を用い、MCSの値が所定値以下の場合には、PUSCH送信と同様の補正値が設定されたTPCコマンド（例えば、図７Ａ）を用いて、D2D通信用のTPCコマンドを設定する。そして、基地局１００は、決定したTPCコマンドをD2D送信端末へ通知する。
【０１２５】
同様に、D2D送信端末２００は、検出したD2D grantによって通知されたMCSの値が所定値を上回る場合には、より大きい電力低減量の補正値が設定されたTPCコマンドの対応付け（例えば、図７Ｂ）を用い、MCSの値が所定値以下の場合には、PUSCH送信と同様の補正値が設定されたTPCコマンドの対応付け（例えば、図７Ａ）を用いて、通知されたTPCコマンドの指示ビットに対応するTPCコマンドを特定する。そして、端末２００は、特定したTPCコマンドを用いて制御した送信電力によってＳＡ信号及びD2Dデータを送信する。
【０１２６】
なお、判断基準となる所定値は、例えば、制御信号により基地局１００から端末２００に別途通知される。
【０１２７】
このように、MCSの値が所定値を上回る場合、つまり、D2D通信端末同士が近接している場合、PUSCH用のTPCコマンドの対応付けよりも電力低減量が大きい対応付けが用いられる。
【０１２８】
以上、ケース１〜ケース３について説明した。なお、ケース１〜ケース３において使用されるTPCコマンドの対応付けは、図７Ａ、図７Ｂに限定されず、図８〜図１５の何れかを用いてもよい。
【０１２９】
以上のように、補正値δPUSCHは、基地局１００向けの上りデータ信号又はD2D通信の信号に対する送信電力制御に用いられる。また、補正値δD2Dは、D2D通信の信号に対する送信電力制御に用いられる。つまり、基地局１００は、補正値δPUSCH又は補正値δD2Dに対応する複数の候補値の中から、端末２００からの品質報告に基づいてTPCコマンドを選択する。この際、基地局１００は、端末２００の状況に応じて、補正値δPUSCH及び補正値δD2Dの何れを用いるかを判断する。
【０１３０】
一方、端末２００は、基地局１００との通信時には、受信されたTPCコマンドに対応する補正値δPUSCHを用いて、基地局向けの上りデータ信号に対する送信電力を制御する。また、端末２００は、D2D通信時には、受信されたTPCコマンドに対応する補正値δPUSCH又は補正値δD2Dを用いてD2D通信の信号に対する送信電力を制御する。この際、端末２００は、端末２００の状況に応じて、補正値δPUSCH及び補正値δD2Dの何れを用いるかを判断する。
【０１３１】
より具体的には、基地局１００及び端末２００は、D2D通信端末同士が近接している場合のみ、電力低減量のより大きいTPCコマンドの対応付けを用いて、適切な送信電力へより早く収束するような送信電力制御を行う。
【０１３２】
こうすることで、D2D通信端末同士が近接している場合には、１度のD2D grantによる電力低減量をより大きくすることにより、適切な送信電力（低い送信電力）へより早く収束するような送信電力制御が可能となる。一方、D2D通信端末同士が近接していない場合（つまり、送信電力の急速な低減が必要ない場合）には、PUSCHと同等の送信電力の補正値を用いることにより、適切な送信電力制御が可能となる。
【０１３３】
以上、本開示に係る各実施の形態について説明した。
【０１３４】
［他の実施の形態］
なお、上記各実施の形態では、D2D通信用のTPCコマンド及びPUSCH用のTPCコマンドが、D2D grant及びUL grantによってそれぞれ個別に通知され、各TPCコマンドに応じて送信電力の補正値（δD2D、δPUSCH）が個別に指示される場合（例えば、図７Ａ及び図７Ｂを参照）について説明した。しかし、D2D通信用のTPCコマンド及びPUSCH用のTPCコマンドは、例えば、１つの共通する指示ビットを用いて通知され、D2D送信端末において、PUSCH送信及びD2D通信の何れに適用するかに応じて、当該指示ビットに対応付けられる送信電力の補正値の解釈を変えてもよい。
【０１３５】
また、上記各実施の形態では、式（１）、式（２）において、D2D通信用の送信電力の初期値Po_D2D、及び、重み係数αD2Dが、PUSCHの送信電力の初期値Po_PUSCH、及び、重み係数αと同値を採る場合について説明した。しかし、D2D通信用の送信電力の初期値Po_D2D、及び、重み係数αD2Dは、PUSCHの送信電力とは別の値を採ってもよい。
【０１３６】
上記各実施の形態では、本開示の一態様をハードウェアで構成する場合を例にとって説明したが、本開示はハードウェアとの連携においてソフトウェアでも実現することも可能である。
【０１３７】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１４０】
本開示における端末は、複数の候補値の中から選択されたTPCコマンドを含む制御信号を受信する受信処理部と、前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を制御する送信制御部と、を具備し、前記TPCコマンドの候補値毎に、前記第１の補正値及び前記第２の補正値が設定され、少なくとも１つの候補値では、前記第２の補正値は前記第１の補正値よりも低く設定されている。
【０１４１】
本開示の端末において、前記各第２の補正値は、対応する前記第１の補正値よりもオフセット値の分だけ低い。
【０１４２】
本開示の端末において、前記オフセット値は、上位レイヤシグナリングによって前記端末へ通知される。
【０１４３】
本開示の端末において、前記制御信号には、さらに、前記基地局と前記端末との距離が離れるほどより大きな値が設定されるタイミング制御値が含まれ、前記送信制御部は、前記タイミング制御値が所定値を上回る場合、前記第２の補正値を用いて前記第２の送信電力を制御し、前記タイミング制御値が前記所定値以下の場合、前記第１の補正値を用いて前記第２の送信電力を制御する。
【０１４４】
本開示の端末において、前記制御信号には、さらに、前記端末間直接通信における周波数ホッピングの適用の有無を示す情報が含まれ、前記送信制御部は、周波数ホッピングの適用が有る場合、前記第２の補正値を用いて前記第２の送信電力を制御し、周波数ホッピングの適用が無い場合、前記第１の補正値を用いて前記第２の送信電力を制御する。
【０１４５】
本開示の端末において、前記制御信号には、さらに、前記端末間直接通信におけるMCSの値が含まれ、前記送信制御部は、前記MCSの値が所定値を上回る場合、前記第２の補正値を用いて前記第２の送信電力を制御し、前記MCSの値が前記所定値以下の場合、前記第１の補正値を用いて前記第２の送信電力を制御する。
【０１４６】
本開示に係る基地局は、基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを選択する設定部と、前記TPCコマンドを含む制御信号を送信する送信処理部と、を具備し、前記TPCコマンドの候補値毎に、前記第１の補正値及び前記第２の補正値が設定され、少なくとも１つの候補値では、前記第２の補正値は前記第１の補正値よりも低く設定されている。
【０１４７】
本開示に係る送信電力制御方法は、複数の候補値の中から選択されたTPCコマンドを含む制御信号を受信する受信工程と、前記受信されたTPCコマンドに対応する第１の補正値を用いて、基地局向けの上りデータ信号に対する第１の送信電力を制御し、前記受信されたTPCコマンドに対応する前記第１の補正値又は第２の補正値を用いて端末間直接通信の信号に対する第２の送信電力を制御する送信制御工程と、を具備し、前記TPCコマンドの候補値毎に、前記第１の補正値及び前記第２の補正値が設定され、少なくとも１つの候補値では、前記第２の補正値は前記第１の補正値よりも低く設定されている。
【０１４８】
本開示に係る送信電力設定方法は、基地局向けの上りデータ信号又は端末間直接通信の信号に対する送信電力制御に用いられる送信電力の第１の補正値、又は、前記端末間直接通信の信号に対する送信電力制御に用いられる送信電力の第２の補正値に対応する複数の候補値の中から、TPCコマンドを選択する設定工程と、前記TPCコマンドを含む制御信号を送信する送信工程と、を具備し、前記TPCコマンドの候補値毎に、前記第１の補正値及び前記第２の補正値が設定され、少なくとも１つの候補値では、前記第２の補正値は前記第１の補正値よりも低く設定されている。
【産業上の利用可能性】
【０１４９】
本開示の一態様は、移動通信システム等に有用である。
【符号の説明】
【０１５０】
１００  基地局
１０１  設定部
１０２，１０３  符号化・変調部
１０４  送信処理部
１０５，２０９  送信部
１０６，２０１  アンテナ
１０７，２０２  受信部
１０８，２０３  受信処理部
１０９  データ受信部
１１０  品質報告受信部
２００  端末
２０４  ＳＡ生成部
２０５  データ信号生成部
２０６  品質報告生成部
２０７  送信制御部
２０８  送信信号形成部
【図１】
0006396507.tif 000008
【図２】
0006396507.tif 000009
【図３】
0006396507.tif 000010
【図４】
0006396507.tif 000011
【図５】
0006396507.tif 000012
【図６】
0006396507.tif 000013
【図７】
0006396507.tif 000014
【図８】
0006396507.tif 000015
【図９】
0006396507.tif 000016
【図１０】
0006396507.tif 000017
【図１１】
0006396507.tif 000018
【図１２】
0006396507.tif 000019
【図１３】
0006396507.tif 000020
【図１４】
0006396507.tif 000021
【図１５】
0006396507.tif 000022